(57)【特許請求の範囲】
【請求項１】
同心円状もしくは螺旋状に形成され、凹凸状の段差を有するスタンパであって、このスタンパの凹部（２３）には、該凹部（２３）に隣接する凸部（２４）の少なくとも一方につながるような突状部（２２）が設けられ、この突状部（２２）と凸部（２４）とのつながり部分の両端が平面的に見て突状部（２２）の外側に向けて略曲線状に凹部（２３）と凸部（２４）の境界部に連なっていることを特徴とするスタンパ。
【請求項２】
同心円状もしくは螺旋状に形成され、凹凸状の段差を有するスタンパ（２１）により樹脂成形された光情報媒体用基板において、前記スタンパ（２１）の凹部（２３）により基板（１）上に突状のランド（８）が形成され、前記スタンパ（２１）の突部（２４）により基板（１）上に凹状のトラッキングガイド（３）が形成されると共に、前記スタンパ（２１）の凸部（２４）に連なるように同スタンパ（２１）の凹部（２３）に形成された突状部（２２）によって、基板（１）上にアドレス情報を示す凹状のプレピット（６）が設けられ、このプレピット（６）は、基板（１）上のトラッキングガイド（３）に連なるようにそのトラッキングガイド（３）に隣接するランド（８）の一部に形成され、プレピット（６）がランド（８）に連なる同プレピット（６）の開口部にはトラッキングガイド（３）の底面からのランド（８）の高さより低い隆起状のリム（７）が形成されていることを特徴とする光情報媒体用基板。
【請求項３】
同心円状もしくは螺旋状に形成され、凹凸状の段差を有するスタンパ（２１）により樹脂成形された光情報媒体用基板において、前記スタンパ（２１）の凹部（２３）により基板（１）上に突状のランド（８）が形成され、前記スタンパ（２１）の突部（２４）により基板（１）上に凹状のトラッキングガイド（３）が形成されると共に、前記スタンパ（２１）の凸部（２４）に連なるように同スタンパ（２１）の凹部（２３）に形成された突状部（２２）によって、基板（１）上にアドレス情報を示す凹状のプレピット（６）が設けられ、このプレピット（６）は、基板（１）上のトラッキングガイド（３）に連なるようにそのトラッキングガイド（３）に隣接するランド（８）の一部に形成され、プレピット（６）がランド（８）に連なる同プレピット（６）の開口部においてその両端部が、平面的に見てプレピット（６）の外側に向けて略曲線状にトラッキングガイド（３）とランド（８）との境界部に接するように形成されていることを特徴とする光情報媒体用基板。
【請求項４】
記録光を透過する透光性基板（１）と、この透光性基板（１）上に形成された記録層（１２）と、この記録層（１２）の上に形成され、再生光を反射する反射層（１３）とを有し、前記透光性基板（１）から入射させた記録光により、光学的に読み取り可能な信号を記録する光情報媒体において、透光性基板（１）の記録層（１２）が形成される面側に、螺旋溝状のトラッキングガイド（３）を有し、このトラッキングガイド（３）の間のランド（８）に、アドレス情報を示す凹状のプレピット（６）が形成され、このプレピット（６）がランド（８）の中心からずれて形成されていることにより、プレピット（６）がランド（８）と隣接するトラッキングガイド（３）側に開いていており、このプレピット（６）の開口部にはトラッキングガイド（３）の底面からのランド（８）の高さより低い隆起状のリム（７）が形成されていることを特徴とする光情報媒体。
【請求項５】
記録光を透過する透光性基板（１）と、この透光性基板（１）上に形成された記録層（１２）と、この記録層（１２）の上に形成され、再生光を反射する反射層（１３）とを有し、前記透光性基板（１）から入射させた記録光により、光学的に読み取り可能な信号を記録する光情報媒体において、透光性基板（１）の記録層（１２）が形成される面側に、螺旋溝状のトラッキングガイド（３）を有し、このトラッキングガイド（３）の間のランド（８）に、アドレス情報を示す凹状のプレピット（６）が形成され、このプレピット（６）がランド（８）の中心からずれて形成されていることにより、プレピット（６）がランド（８）と隣接するトラッキングガイド（３）側に開いており、このプレピット（６）の開口部においてその両端部が、平面的に見てプレピット（６）の外側に向けて略曲線状にトラッキングガイド（３）とランド（８）との境界部に接するように形成されていることを特徴とする光情報媒体。
【請求項６】
プレピット（６）は、ランド（８）の中心に対して透光性基板（１）の内周方向にずれていることを特徴とする請求項４または５に記載の光情報媒体。
【請求項７】
プレピット（６）のランド（８）の中心からのオフセット寸法δは、０μｍ≦δ≦０．２μｍであることを特徴とする請求項４または５に記載の光情報媒体。
【請求項８】
トラッキングガイド（３）とランド（８）との境界部からプレピット（６）までの幅ｌが、０μｍ≦ｌ≦０．２μｍであることを特徴とする請求項４または５に記載の光情報媒体。
【請求項９】
トラッキングガイド（３）の半値幅ｗとランドプレピット（６）の半値幅ｄとの比ｗ／ｄが、０．５≦ｗ／ｄ≦１．７であることを特徴とする請求項４または５に記載の光情報媒体。
【請求項１０】
記録光を透過する透光性基板（１）と、この透光性基板（１）上に形成された記録層（１２）と、この記録層（１２）の上に形成され、再生光を反射する反射層（１３）とを有する光情報媒体に、前記透光性基板（１）から入射させた記録光により、光学的に読み取り可能な信号を記録する光情報媒体の記録方法において、前記請求項４〜９の何れかに記載の光情報媒体について、前記透光性基板（１）から入射させた記録光を前記トラッキングガイド（３）に沿ってトラッキングしながら、光学的に読み取り可能な信号を記録することを特徴とする光情報媒体の記録方法。
【発明の詳細な説明】
【０００１】
【発明の属する技術分野】
本発明は、成形時に用いられるスタンパ及びそのスタンパにより形成された光情報媒体用基板及びその基板を用いて光学的に再生可能な情報が記録し得る光情報媒体に関し、特に６３０〜６７０ｎｍの短波長赤色レーザ光により記録、再生される高密度記録媒体に最適なセクター情報検出手段を有するものに関する。
【０００２】
【従来の技術】
最近の短波長レーザーの開発と実用化に伴い、より高密度な記録再生を可能とするＤＶＤ（Digital Versatile Disc）の規格の標準化に伴い、その実用化が進んでいる。このＤＶＤでは、その少なくとも一方の主面にデータ記録領域が設定され、このデータ記録領域に情報記録手段であるピットが形成され、その上に金属膜からなる反射層が形成されている。
【０００３】
前記ＤＶＤでは、現在最も一般的な光情報媒体の規格であるＣＤ（Compact Disc）と比較して、高密度化のために異なる規格が定められている。例えば、光学ピックアップにおいては、波長６３０ｎｍ〜６７０ｎｍという短波長赤色レーザを使用すること、開口率ＮＡが０．６という高開口率対物レンズを使用すること等である。
【０００４】
またこれに伴い、ディスクの反り等に対応するため、０．６ｍｍ厚というＣＤの約半分の厚さのディスクが採用されている。ただ、ディスク厚１．２ｍｍのＣＤとの寸法上の互換性を確保するため、２枚のディスクの貼り合わせ構造としている。ＤＶＤ規格では、１枚のディスクに標準で最大記録容量約４．７ＧＢ、映像と音声が平均約１３３分収録することを規格化している。
【０００５】
これまで、ＣＤ−Ｒ等の記録可能なＣＤでは、螺旋のグルーブ状のトラッキングガイドの蛇行（Wobble）をＦＭ変調しＡＴＩＰ（Absolute Time In Pregroove）と呼ばれるアドレズ情報を得ている。これに対し、ＤＶＤ−Ｒ等の記録可能なＤＶＤでは、ＡＴＩＰに代えて、ウォブルと共にトラッキングガイドの間のランド部分に予め設けたプレピットにより光情報媒体上における位置情報等のアドレス情報を得る。
【０００６】
【発明が解決しようとしている課題】
前記のような高密度記録媒体であるＤＶＤで採用されるプレピットは、光学ピックアップで記録信号のピットと共に読み込まれるが、このとき光学ピックアップは、トラッキングガイドに沿ってトラッキングサーボされるため、通常の状態ではプレピットとグルーブ上に形成されるデータ信号を記録したピットとは判別して読み取られる。しかし、プレピットの形状、大きさ等によっては、プレピットがデータ信号記録用のピットから得られるＲＦ信号に混入して読み込まれることもある。この場合、データ信号の読み取りにエラーが発生する原因になる。
【０００７】
ＤＶＤ−ＲやＤＶＤ−ＲＷにおいて、プレピットは、記録時の光情報媒体上における位置情報等のアドレス情報を得るのに必要なものである。しかし、再生時には使用しないものであり、記録データを示すＲＦ信号にプレピットから得られる信号が混入することは、ＲＦデータ信号の読み取りにエラーを発生させる要因となる。
しかし一方で、記録時にプレピットが読み取り難いと、記録時におけるアドレス等の情報が正常に読みとれず、記録が不安定となり、これにより記録信号の再生そのものが出来なくなるという課題がある。
【０００８】
本発明では、前記のような高密度記録に対応した光情報媒体のアドレス情報を読み取るためのプレピットの読み取りに伴う課題に鑑み、その目的は、未記録領域をアクセスし記録開始位置までピックアップを移動する際の移動情報を含め、記録時にプレピットからアドレス信号を確実に読み取ることが出来ると共に、記録された信号を光学的に読み取る際に、アドレス情報を示すプレピットから得られる信号と、トラッキングガイド上のピットから読み取られる記録データとの干渉による読み取りの誤りを無くし、再生時のデータ信号へのプレピットから得られる信号の混入を無くすことができる光情報媒体、その光情報媒体用基板、その基板成形用のスタンパを提供することである。
【０００９】
【課題を解決するための手段】
前記の目的を達成するため、本発明では、アドレス情報を示すランド８上に設けられるプレピット６を、ランド８から意図的にずらして形成し、これによって、トラッキングエラー信号への強度を上げ、かつＲＦ信号への漏れ込みを弱いものとし、グルーブ３上のピットから得られるＲＦ信号と明確に判別できるようにして、それらを互いに誤って読み取ることを防止するようにしたものである。
【００１０】
本発明によるスタンパは、同心円状もしくは螺旋状に形成され、凹凸状の段差を有するスタンパであって、このスタンパの凹部２３には、該凹部２３に隣接する凸部２４の少なくとも一方につながるような突状部２２が設けられ、この突状部２２と凸部２４とのつながり部分の両端が平面的に見て突状部２２の外側に向けて凹部２３と凸部２４の境界部に略曲線状に連なっていることを特徴とする。
また、本発明による光情報媒体用基板は、同心円状もしくは螺旋状に形成され、凹凸状の段差を有するスタンパにより樹脂成形された光情報媒体用基板において、この基板には、前記スタンパの凹部２３に設けられ、該凹部２３に隣接する凸部２４の少なくとも一方につながるような突状部２２によって、アドレス情報を示す凹状のプレピット６が設けられている。そして、プレピット６がランド８に連なる同プレピット６の開口部にはトラッキングガイド３の底面からのランド８の高さより低い隆起状のリム７が形成されていることを特徴とするものである。また、このプレピット６の開口部においてその両端部が、平面的に見てプレピット６の外側に向けて略曲線状にトラッキングガイド３とランド８との境界部に接するように形成されていることを特徴とするものである。
【００１１】
本発明による光情報媒体は、記録光を透過する透光性基板１と、この透光性基板１上に形成された記録層１２と、この記録層１２の上に形成され、再生光を反射する反射層１３とを有し、前記透光性基板１から入射させた記録光により、光学的に読み取り可能な信号を記録するものである。本発明では、このような光情報媒体において、透光性基板１の記録層１２が形成される面側に、螺旋溝状のトラッキングガイド３を有し、このトラッキングガイド３の間のランド８に、アドレス情報を示す凹状のプレピット６が形成され、このプレピット６がランド８の中心からずれて形成されているものである。これにより、プレピット６がランド８と隣接するトラッキングガイド３側に開いている。そして、このプレピット６がランド８の開口部にはトラッキングガイド３の底面からのランド８の高さより低い隆起状のリム７が形成されている。また、このプレピット６の開口部においてその両端部が、平面的に見てプレピット６の外側に向けて略曲線状にトラッキングガイド３とランド８との境界部に接するように形成されている。
本発明による光情報媒体の記録方法では、前記のような光情報媒体について、前記透光性基板１から入射させた記録光を前記トラッキングガイド３に沿ってトラッキングしながら、光学的に読み取り可能な信号を記録する。
【００１２】
このようなスタンパ及びこのスタンパにより形成された光情報媒体用基板であって、この基板を用いた光情報媒体においては、プレピット６がランド８の中心からずれて形成されているため、より詳しくは、プレピット６がランド８の中心からディスク内周方向にずれて形成されていることから、トラッキング時にはビームスポット中心により近づくようなプレピットとして形成されることになり、プレピットの再生信号としてはプレピットがランド中心に形成された場合よりも大きな信号振幅を得ることができ、その読み取りを確実に行うことができる。
【００１３】
また、上記のように構成することにより、プレピット６の形状を、プレピット６がランド８の中心に形成されている場合より小さくすることが可能となる。これは、前述したようにプレピット６がランド８の中心からディスク内周方向にオフセットしていることによって、プレピットがランド８の中心に形成された場合よりも大きな信号振幅を得ることに起因するもので、この場合プレピット６は、その信号振幅が読み取り可能なレベル（例えば、プレピット６がランド８の中心に形成されたときの信号振幅）にまで形状を物理的に小さくすることができるため、たとえプレピットによる信号がＲＦ信号へ漏れ込んでしまった場合にも、ＥＦＭ信号へデコードした際にはデータ信号としての最小信号の時間長よりも十分小さいものとなることから、データ信号との判別が容易となり、誤ってプレピットによる信号を読み込むことを防止することができる。
【００１４】
例えば、トラッキングガイド３に沿って光学ピックアップをトラッキングサーボしながら、トラッキングガイド３上に形成されたデータピットを読み取る時、データピットから得られる信号に対してプレピット６から得られる信号はさらに微弱となる。これにより、データピットから得られるＲＦ信号に混入するプレピット６の信号は微弱となり、データ信号へのノイズの混入が殆ど問題なくなる。
【００１５】
プレピット６は、ランド８の中心に対し、透光性基板１の内周方向にずれていることが好ましい。これは、前述したようにトラッキング時においてビームスポット中心により近づくようなプレピットとして形成することにより、プレピットの再生信号としてはプレピットがランド８の中心に形成された場合よりも大きな信号振幅を得るためである。
【００１６】
トラッキングガイド３のピッチｐ＝０．７４μｍであるが、その半値幅ｗは０．２３μｍ≦ｗ≦０．３８の範囲とするのがよい。また、プレピット６の半値幅ｄは、０．２０μｍ≦ｄ≦０．３３とするのがよい。この関係から、トラッキングガイド３の半値幅ｗとプレピット６の半値幅ｄとの比ｗ／ｄは０．５≦ｗ／ｄ≦１．７となる。プレピット６のランド８の中心からのオフセット寸法δは、ランド８の幅にもよるが、０μｍ≦δ≦０．２μｍであることが好ましく、トラッキングガイド３とランド８との境界部からプレピット６までの幅ｌは０μｍ≦ｌ≦０．２μｍの範囲とするのがよい。
【００１７】
【発明の実施の形態】
次に、図面を参照しながら、本発明の実施の形態について具体的且つ詳細に説明する。
本発明による光情報媒体の一例として、両面貼り合わせによる片面記録・再生構造を有する追記形光情報媒体の例を図１と図２に示す。
透光性基板１は、中央にセンターホール４を有する透明な円板状の基板である。この透光性基板１は、一般にポリカーボネート、ポリメチルメタクリレート（ＰＭＭＡ）等の透明樹脂を射出成形して作られる。
【００１８】
ここで、透光性基板１を成形するにあたっては、図７に示すような同心円状もしくは螺旋状に形成され、凹凸状の段差を有するスタンパ２１を用いる。このスタンパ２１の凹部２３には、該凹部２３に隣接する凸部２４の少なくとも一方、この場合内周側の凸部２４につながるような突状部２２が設けられている。
なお、図７から明らかなように、突状部２２と凸部２４とのつながり部分の両端が平面的に見て突状部２２の外側に向けて凹部２３と凸部２４の境界部に略曲線状に連なっている。また、この突状部２２と凸部２４との繋がり部分にはダレが生じたり、盛り上がったりした形状になっている。
【００１９】
このスタンパ２１により樹脂成形された光情報媒体用基板は、前記スタンパ２１の凹部２３により基板１上に突状のランド８が形成され、前記スタンパ２１の突部２４により基板１上に凹状のトラッキングガイド３が形成されている。さらに、前記スタンパ２１の凸部２４に連なるように同スタンパ２１の凹部２３に形成された突状部２２によって、基板１上にアドレス情報を示す凹状のプレピット６が設けられている。このプレピット６は、基板１上のトラッキングガイド３に連なるようにそのトラッキングガイド３に隣接するランド８の一部に形成されている。
【００２０】
この透光性を有する透光性基板１の片面の前記センターホール４の外側にクランピングエリアが設定されており、このクランピングエリアの外周側がデータ記録領域となる。透光性基板１のデータ記録領域の部分には、スパイラル状のグルーブからなるトラッキングガイド３が形成されている。このトラッキングガイド３のピッチは、０．７４μｍを標準とする。
【００２１】
図３〜図６に示す通り、前記のトラッキングガイド３の間のランド８には、光情報媒体への信号の記録時に、アドレス情報等を示すための窪み状のプレピット６が適当な間隔で形成されている。このプレピット６は、前記トラッキングガイド３と共に、透光性基板１の射出成形時に予め形成される。
【００２２】
これらの図に示すように、プレピット６は、ランド８の中心に対し、オフセット寸法δだけずれて形成されている。このため、プレピット６は、ランド８の片側の縁側において開いている。プレピット６のランド８の中心に対するずれの方向は何れも同じであり、図示の例では、プレピット６は、ランド８の図３において左側、つまりディスク内周側に開いている。この開いた部分には、隆起状のリム７が形成される。当然のことながら、このリム７の深さは、トラッキングガイド３やプレピット６の深さ、すなわちトラッキングガイド３の底面からのランド８の高さより低い。このリム７は途中で途切れていても良い。
【００２３】
このリム部分はランド８の高さより低いため、レーザービーム照射時にはランド部分における反射光量への寄与が低減される。このときのＬＰＰ信号振幅を最大にするには、ランド部分の反射光量が少ないほど有利となり、リム部分は低いことが望ましい。
【００２４】
前記プレピット６のランド８の中心に対するオフセット寸法δは、ランド８の幅にもよるが、０μｍ≦δ≦０．２μｍであることが好ましく、トラッキングガイド３とランド８との境界部からプレピット６までの幅ｌは０μｍ≦ｌ≦０．２μｍの範囲とするのがよい。ちなみに、トラッキングガイド３のピッチｐ＝０．７４μであり、その半値幅ｗは０．２３μｍ≦ｗ≦０．３８μｍの範囲である。
【００２５】
このプレピット６の径ｄは、記録時に当該光情報媒体に形成されるピットの長さと異ならせる。例えばＤＶＤでは、データピット長は約０．４〜約１．９μｍであるが、プレピット６の径ｄを、最小ピット長である０．４μｍより短くする。より具体的には、プレピット６の径ｄを、最小ピット長の５０〜８３％とする。例えば、ＤＶＤでは、最小ピット長は３チャンネルクロック分であるが、プレピット６の長さを、１．５〜２．５チャンネルクロック分の長さとする。具体的な寸法としては、プレピット６の径ｄを０．２０μｍ≦ｄ≦０．３３μｍとする。この関係から、トラッキングガイド３の半値幅ｗとプレピット６の半値幅ｄとの比ｗ／ｄは０．５≦ｗ／ｄ≦１．７となる。このようにすれば、トラッキングガイド３に形成されるデータピットとランド８に形成されるプレピットのそれぞれについて必要な信号出力を得ることができるとともに、両者の信号が互いに干渉することなく、したがってデータ信号へのプレプットによる信号の漏れ込みを抑えることができることになる。
【００２６】
また、図３に示すように、ランド８に形成されたプレピット６の開口部においてその両端部が符号６ａで示す如く、平面的に見てプレピット外周よりも外方に向けて略曲線状にトラッキングガイド３とランド８との境界部に接するように形成しておくのが望ましい。このようにすると、プレピット６の表面形状はその部分で拡がるため、光学的にみた場合ランド８の部分の反射光量への寄与が小さくなり、プレピット信号振幅を大きくすることができる。そのため、プレピットの形状がばらつき基準形状よりも小さくなった場合にも出力信号としては基準形状時のプレピット信号出力を確保することができ、プレピット信号の読み取りエラーを低減させることができる。
【００２７】
さらに、図１、図２、図５、図６に示すように、透光性基板１の前記データ記録領域の部分の主面に記録層１２が形成される。例えば、スピンコート法等の手段で有機色素等が塗布され、記録層１２が形成される。
図５と図６は、何れも透光性基板１の径方向の断面して示してある。図６を見ると明らかなように、プレピット６は、ランド８の左側、つまりディスク内周側にずれており、その結果ランド８の左側が開いている。さらにプレピット６のランド８の片側に開いた部分にトラッキングガイド３の深さより浅い隆起状のリム７が形成される。
【００２８】
ここで、一般的にレーザービームの強度は、その中心で最も強い正規分布をしており、前述したようにプレピット６がランド８の内周にオフセットしている場合には、トラッキング時においてプレピット６がビーム中心に近くなるため、ランド８の中心にプレピットが位置している場合よりも、より多くの回折強度を得ることができる。
なお、前記プレピット６は、光情報媒体のアドレス情報となる信号を得るためのものであるが、このプレピット６と併用して、トラッキングガイド３のウォブルによる回転制御情報を得るようにしてもよい。
【００２９】
図１、図２、図５及び図６に示すように、前記のようにして形成された記録層１２の上に、金、アルミニウム、銀、銅等の金属膜或いはこれらの合金膜からなる反射層１３が形成される。さらに反射層１３の上に、紫外線硬化性樹脂等の保護膜１４が形成される。
図１及び図２に示すように、この透光性基板１の他にもう１枚の基板５を用意する。この基板５は、前記透光性基板１と同じ材質で出来た同じサイズのものであるが、その主面には、前記透光性基板１のようなトラッキングガイド３、記録層１２、反射層１３は設けられていない。もちろん、この他の基板５にも前記透光性基板１と同様に、トラッキングガイド３を有する基板５上に記録層１２や反射層１３等を設けることもできる。
【００３０】
次に、これらの２枚の基板１、５を貼り合わせる。例えば、スピンコート法やスクリーン印刷法等の手段により、２枚の基板１、５の少なくとも一方の主面に接着剤として反応性硬化樹脂が塗布され、さらにこれらの面が互いに向かい合わせて重ね合わせられ、且つ前記反応性硬化樹脂が硬化される。これにより、前記反応性硬化樹脂が硬化することにより形成された接着層１１により、２枚の基板１、５の主面が互いに貼り合わせられる。この場合、透光性基板１はその記録層１２及び反射層１３が形成された面が接着される。
【００３１】
前記の例は、トラッキングガイド３を有する透光性基板上に記録層１２と反射層１３とを形成した透光性基板１と、記録層１２と反射層１３とを形成していない他の基板５とを貼り合わせた例である。これらの場合は、片面のみ記録・再生が可能である。前記他の基板５は、透光性を有しないものや、耐光性を保持するために着色してあるもの、或いは表面に文字、図柄、書き込み可能な領域を設けたものであってもよい。
【００３２】
他方、トラッキングガイド３を有する透光性基板１上に記録層１２と反射層１３とを設けた２枚の透光性基板１を２枚用意し、これらの記録層１２及び反射層１３側を向かい合わせて貼り合わせた、いわゆる両面記録・再生構造の光情報媒体とすることもできる。
なお、図１及び図２において、符号９は、透光性基板１の表側の記録光の入射面側にあって、データ記録領域ｒの外側にリング状に形成された突条９であり、これは光情報媒体を重ね合わせたときに、記録面が他の光情報媒体の表面に触れるのを防止するものである。
【００３３】
【実施例】
次に、本発明の実施例について、具体的な数値をあげて説明する。
（実施例１）
研磨したガラス基盤の上に極薄く感光剤（ホトレジスト）を塗布し、そのガラス円盤を回転させながら内周から外周に向かって螺旋状にレーザービームを走らせカッティングを行う。カッティングマシンは、ＬＢＲ（レーザービームレコーダ）と呼ばれ、波長３５１〜４５８ｎｍのクリプトン・アルゴンレーザー等を光源としている。このレーザービームは、電気的に透過する光の強さを調整できる光変調器にかけられたマスタリング信号で、ウォブリングさせながら回転する感光膜上に螺旋状にスポットを当てていく。その際に、別の照射経路を経たレーザービームを所定のタイミングでＯＮ・ＯＦＦさせ、露光された感光膜の部分を専用の現像液で溶かしその部分に凹溝及びプレピットを形成させる。その後、その表面に導電剤をコーティングし、それを電極として感光膜表面にＮｉメッキを行い、これを剥がしてマスタスタンパとする。さらに、このマスタスタンパを電極として前述と同じように表面にメッキしてこれを剥がすことによりマザースタンパを得ることができる。
【００３４】
このようにしてできたスタンパを用いて樹脂成形することにより、外径１２０ｍｍφ、内径１５ｍｍφ、厚さ０．５９７ｍｍ、屈折率１．５９のポリカーボネート基板であって、その一方の主面に半値幅０．３１μｍ、深さ１４０ｎｍ、ピッチ０．７４μｍのトラッキングガイド３を有する透光性基板１を用意した。このトラッキングガイド３の間のランド８の部分には、径ｄの半値幅が０．２７μｍ、そのバラツキが±０．０２μｍの複数のプレピット６が形成されている。このプレピット６は、最大で０．１μｍ、最小で０．０５μｍ、平均で０．０７μｍだけずれている。
この透光性基板１の前記トラッキングガイド３を有する面側に、シアニン色素の溶液をスピンコートして成膜した。
【００３５】
さらに、前記記録層３の上にＡｕをスパッタリングし、反射層１３を形成した。この上に紫外線硬化性樹脂（大日本インキ化学工業社製ＳＤ２１１）をスピンコートし、これに紫外線を照射して硬化させ、保護層１４を形成した。この保護層１４に紫外線硬化性樹脂製の接着剤を塗布し、前記と同じ材質、形状の基板を貼り合わせ、前記接着剤に紫外線を照射して硬化させ、接着した。これにより、光情報媒体を作った。
【００３６】
こうして作られた光情報媒体について、波長６３７ｎｍのレーザ光を発する光学ピックアップ（開口率０．６）を使用し、アドレス信号を読み取ったところ、安定してアドレス情報を取り出す事ができた。また、同システムを使用して記録パワー１０ｍＷで８／１６変調信号（８ビットを１６ビットに変換）を記録した。この記録後の光情報媒体を、ＤＶＤプレーヤで再生したところ、データ信号の読み取りＰＩエラーは、８ＥＣＣブロック当り３カウント（１分間当たりの平均値）と、安定した再生が可能であった。記録された信号の変調度は６１％、各信号のピットとランド８の長さ誤差の最大値が６．０ｎｓ、ジッターが７．５％と、好ましい結果が得られた。
【００３７】
（実施例２）
前記実施例１において、ランドプレピット６の径ｄの半値幅を０．２８μｍ、そのバラツキが±０．０２μｍであることこと以外は、同実施例１と同様にして光情報媒体を作った。
こうして作られた光情報媒体について、波長６５０ｎｍのレーザ光を発する光学ピックアップ（開口率０．６）を使用し、セクター情報を読み取った所、安定してアドレス情報を取り出す事ができた。また、同システムを使用して記録パワー１０．５ｍＷで８／１６変調信号（８ビットを１６ビットに変換）を記録した。この記録後の光情報媒体を、ＤＶＤプレーヤで再生したところ、データ信号の読み取りＰＩエラーは、８ＥＣＣブロック当り５カウント（１分間当たりの平均値）と、安定した再生が可能であった。記録された信号の変調度は６５％、各信号のピットとランド８の長さ誤差の最大値が５．８ｎｓ、ジッターが７．３％と、この好ましい結果が得られた。
【００３８】
（比較例１）
前記実施例１において、ランド８の中心からプレピット６のディスク外周方向へのオフセット量を０．１μｍ、ランドプレピット６の半値幅ｄを０．４１μｍ、トラッキングガイド３の半値幅ｗを０．２０μｍ（ランドプレピット６の半値幅ｄトラッキングガイド３の半値幅ｗとの比ｗ／ｄ＝０．４９）としたこと以外は、同実施例１と同様にして光情報媒体を作った。
こうして作られた光情報媒体について、波長６３５ｎｍのレーザ光を発する光学ピックアップ（開口率０．６）を使用し、セクター情報を読み取った所、安定してアドレス情報を取り出す事ができた。また、同システムを使用して記録パワー１０．０ｍＷで８／１６変調信号（８ビットを１６ビットに変換）を記録した。この記録後の光情報媒体を、ＤＶＤプレーヤで再生したところ、データ信号の読み取りＰＩエラーは、８ＥＣＣブロック当り３００カウント（１分間当たりの平均値）となってしまい、データ再生としては好ましくない状態であった。記録された信号の変調度は６５％、各信号のピットとランド８の長さ誤差の最大値が６．５ｎｓ、ジッターが９％であった。
【００３９】
（比較例２）
前記実施例１において、ランドプレピット６のずれを最大０．３μｍ、最小０．２μｍ、平均で０．２５μｍとしたこと以外は、同実施例１と同様にして光情報媒体を作った。
こうして作られた光情報媒体について、波長６５０ｎｍのレーザ光を発する光学ピックアップ（開口率０．６）を使用し、アドレス信号を読み取ったところ、アドレス情報が読み取れなかった。
【００４０】
【発明の効果】
以上説明した通り、本発明による光情報媒体では、高密度記録に対応した光情報媒体に光学ピックアップを使用して光学的に信号を記録し、記録時にプレピットからアドレス信号を確実に読み取ることが出来ると共に、記録された信号を光学的に読み取る際に、セクター情報を示すランドプレピットから得られる信号と、トラッキングガイド上のピットから読み取られる記録データとの読み取りの誤りを無くし、記録時のアドレス情報と再生時のデータ信号とを正確に分別して読み取ることができるようになる。
【図面の簡単な説明】
【図１】本発明による光情報媒体の例を示す２枚の基板を貼り合わせる前の状態の半断面分解斜視図である。
【図２】同光情報媒体を示す一部縦断面斜視図である。
【図３】同光情報媒体に使用される透光性基板の一部を示す要部平面図である。
【図４】図３においてＡ−Ａの位置で断面して示した斜視図である。
【図５】同光情報媒体の要部縦断側面図である。
【図６】同光情報媒体の要部拡大縦断側面図である。
【図７】スタンパの斜視図である。
【符号の説明】
１    透光性基板
３    トラッキングガイド
６    プレピット
８    ランド
１２  記録層
１３  反射層
２１  スタンパ
【図１】
0003691326.tif 000002
【図２】
0003691326.tif 000003
【図３】
0003691326.tif 000004
【図４】
0003691326.tif 000005
【図５】
0003691326.tif 000006
【図６】
0003691326.tif 000007
【図７】
0003691326.tif 000008